(57)【要約】【課題】画像情報機器本体と外付け装置とが連携して電力モードの制御を行うことにより、本体と外付け装置との動作の整合がとれた画像情報機器を提供する。【解決手段】画像情報機器本体２内のＣＰＵ２１は、本体２の電力モードを切り替えた際に切り替え後の電力モードを示す電力モード情報を記憶装置２４に記憶しておき、外付け装置３内のＣＰＵは、記憶装置２４から定期的読み出しを行うことにより、本体２の電力モードの状態を検知し、検知した電力モードに基づいて外付け装置３自身の電力モードを切り替える。【選択図】図２
2008311769.tif 000002
【特許請求の範囲】
【請求項１】
各種サービスを提供する外付け装置を有し、電力モードを切り替える電力モード切り替え手段を備えた画像情報機器において、前記外付け装置は前記画像情報機器の電力モードの変化に合わせて外付け装置側の電力モードを切り替える外付け装置側電力モード切り替え手段を備えたことを特徴とする画像情報機器。
【請求項２】
前記画像情報機器は該画像情報機器の電力モードを示す電力モード情報を記憶する電力モード記憶手段を備え、前記外付け装置は前記電力モード記憶手段から前記電力モード情報を読み出す電力モード検知手段を備え、前記外付け装置側電力モード切り替え手段は前記電力モード検知手段の検知結果に基づき前記外付け装置の電力モードを切り替えることを特徴とする請求項１記載の画像情報機器。
【請求項３】
前記画像情報機器は、該画像情報機器の電力モード切り替えに際し、切り替え後の電力モードを示す電力モード情報を前記外付け装置に通知する電力モード通知手段を備え、前記外付け装置側電力モード切り替え手段は前記電力モード通知手段の通知に基づき前記外付け装置の電力モードを切り替えることを特徴とする請求項１記載の画像情報機器。
【請求項４】
電力モード切り替えに関わる異常が発生した際に、異常が発生した旨を通知する異常通知手段を前記画像情報機器内または前記外付け装置内に備えたことを特徴とする請求項１乃至３のいずれか１項に記載の画像情報機器。
【請求項５】
前記画像情報機器が電力モードを切り替えた際に、該切り替え内容をログ情報として記録するログ記録手段と、該ログ記録手段により記録されたログ情報を出力または送信するログ通知手段と、を備えたことを特徴とする請求項１乃至４のいずれか１項に記載の画像情報機器。
【請求項６】
画像情報機器に接続して各種サービスを提供する外付け装置において、前記画像情報機器から電力モード情報を読み出す電力モード検知手段と、前記画像情報機器の電力モードの変化に合わせて電力モードを切り替える電力モード切り替え手段と、を備えたことを特徴とする外付け装置。
【請求項７】
各種サービスを提供する外付け装置を有する画像情報機器の電力モード切り替え方法において、前記外付け装置は、前記画像情報機器側の電力モードの変化を検知し、該電力モードの変化に合わせて前記外付け装置の電力モードを切り替えることを特徴とする電力モード切り替え方法。
【請求項８】
前記電力モードの変化の検知を、前記画像情報機器が電力モードを切り替える際に書き込んだ電力モードを示すデータを前記外付け装置が読み出して行うことを特徴とする請求項７記載の電力モード切り替え方法。
【請求項９】
各種サービスを提供する外付け装置を有する画像情報機器の電力モード切り替え方法において、前記画像情報機器は電力モードを切り替える際に、切り替え後の電力モードを前記外付け装置に通知し、前記外付け装置は前記画像情報機器からの通知に基づいて前記外付け装置の電力モードを切り替えることを特徴とする電力モード切り替え方法。
【発明の詳細な説明】
【技術分野】
【０００１】
本発明は、複写機、プリンタ、ファクシミリ装置、およびそれらの機能を併せ持つ複合機などの画像情報機器に関し、特に各種サービスを提供する外付け装置を備えた画像情報機器の省電力化のための電力モード切り替えに関する。
【背景技術】
【０００２】
デジタル複写機やプリンタなど画像情報機器では、省電力化のために、待機時に一部の電源を切ったり、制御部の動作周波数を低下させたり、選択されていない機能に係るユニットの電源を切ったりする省電力モードを備えたものが多い（例えば特許文献１参照）。
この特許文献１に示される複合機は、スキャナ、プリンタおよびコピーユニットを備え、スキャナ、プリンタ、複写機としての機能をはじめ、スキャン画像をパソコンに取り込んだり、電子メールで送ったりする機能や、ＦＡＸユニットを追加してファクシミリの受送信の機能持っている。そして、電力が無駄に消費されることなく運用できるように、スキャナとプリンタのそれぞれが個別に電源を投入できるようにして、電源が投入された方のユニットのみを利用可能にしている。例えば、プリンタのみに電源が投入されたら、ユーザインタフェースとしてのコピーユニットは、利用者にプリンタのみで利用が可能な機能に関する指示のみを行えるようにしている。
【０００３】
一方、画像情報機器のサービス機能向上策として、外付け装置を取り付けたものが従来から提供されている。例えば、外付け装置を利用してリモートファームウェアアップデートサービスを提供したり、ファクシミリ機能を備えたデジタル複写機にタッチパネル付きの外付け装置を取り付けて、セキュリティ機能を提供したりすることが行われている。そして外付け装置についても多くは画面表示の消灯や動作周波数の低下など、画像情報機器本体と同様な省電力モードを備えている。
【特許文献１】特開２００６−５４６１１号公報
【発明の開示】
【発明が解決しようとする課題】
【０００４】
しかしながら、従来の、外付け装置を備え、本体も外付け装置も共に省電力機能を持つ画像情報機器においては、本体の電力モードと外付け装置の電力モードとが連携していない場合がある。例えば、本体が省電力モードになっていて、本体の表示装置が消灯しているにもかかわらず、外付け装置が通常稼動モードになったままで、外付け装置のタッチパネルが点灯したままになっている場合もある。このような不整合は、利用者から見て不自然であるだけでなく、利用者が稼動状態を勘違いして、外付け装置のタッチパネルを操作して、本体側に複写要求を出すという事態も起る。このような場合は、本体側が省電力モードから通常稼動モードへ復帰するための時間を要するので、複写要求受け付けが遅れることになり、複写待ち時間は、利用者が期待する時間よりも長くなってしまうという問題も発生する。
【０００５】
本発明は、このような従来技術の問題を解決しようとするものであり、画像情報機器本体と外付け装置とが連携して電力モードの制御を行うことにより、本体と外付け装置との動作の整合がとれた画像情報機器を提供することを目的とする。
【課題を解決するための手段】
【０００６】
上記課題を解決するため、請求項１記載の発明は、各種サービスを提供する外付け装置を有し、電力モードを切り替える電力モード切り替え手段を備えた画像情報機器において、前記外付け装置は前記画像情報機器の電力モードの変化に合わせて外付け装置側の電力モードを切り替える外付け装置側電力モード切り替え手段を備えたことを特徴とする。
【０００７】
また、請求項２記載の発明は、請求項１記載の発明において、前記画像情報機器は該画像情報機器の電力モードを示す電力モード情報を記憶する電力モード記憶手段を備え、前記外付け装置は前記電力モード記憶手段から前記電力モード情報を読み出す電力モード検知手段を備え、前記外付け装置側電力モード切り替え手段は前記電力モード検知手段の検知結果に基づき前記外付け装置の電力モードを切り替えることを特徴とする。
【０００８】
また、請求項３記載の発明は、請求項１記載の発明において、前記画像情報機器は、該画像情報機器の電力モード切り替えに際し、切り替え後の電力モードを示す電力モード情報を前記外付け装置に通知する電力モード通知手段を備え、前記外付け装置側電力モード切り替え手段は前記電力モード通知手段の通知に基づき前記外付け装置の電力モードを切り替えることを特徴とする。
【０００９】
また、請求項４記載の発明は、請求項１乃至３のいずれか１項に記載の発明において、電力モード切り替えに関わる異常が発生した際に、異常が発生した旨を通知する異常通知手段を前記画像情報機器内または前記外付け装置内に備えたことを特徴とする。
【００１０】
また、請求項５記載の発明は、請求項１乃至４のいずれか１項に記載の発明において、前記画像情報機器が電力モードを切り替えた際に、該切り替え内容をログ情報として記録するログ記録手段と、該ログ記録手段により記録されたログ情報を出力または送信するログ通知手段と、を備えたことを特徴とする。
【００１１】
また、請求項６記載の発明は、画像情報機器に接続して各種サービスを提供する外付け装置において、前記画像情報機器から電力モード情報を読み出す電力モード検知手段と、前記画像情報機器の電力モードの変化に合わせて電力モードを切り替える電力モード切り替え手段と、を備えたことを特徴とする。
【００１２】
また、請求項７記載の発明は、各種サービスを提供する外付け装置を有する画像情報機器の電力モード切り替え方法において、前記外付け装置は、前記画像情報機器側の電力モードの変化を検知し、該電力モードの変化に合わせて前記外付け装置の電力モードを切り替えることを特徴とする。
【００１３】
また、請求項８記載の発明は、請求項７記載の発明において、前記電力モードの変化の検知を、前記画像情報機器が電力モードを切り替える際に書き込んだ電力モードを示すデータを前記外付け装置が読み出して行うことを特徴とする。
【００１４】
また、請求項９記載の発明は、各種サービスを提供する外付け装置を有する画像情報機器の電力モード切り替え方法において、前記画像情報機器は電力モードを切り替える際に、切り替え後の電力モードを前記外付け装置に通知し、前記外付け装置は前記画像情報機器からの通知に基づいて前記外付け装置の電力モードを切り替えることを特徴とする。
【発明の効果】
【００１５】
本発明によれば、画像情報機器本体と外付け装置との電力モードの整合性を改善でき、本体と外付け装置とが整合のとれた動作をする画像情報機器を提供できる。
【発明を実施するための最良の形態】
【００１６】
以下、図面を参照して本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
【００１７】
［第１の実施形態］
図１は、本発明の第１の実施形態にかかるプリンタ１の概略構成を示すシステム構成図である。このプリンタ１は本体２と外付け装置３から成り、外付け装置３がネットワーク５に接続されている。詳細は後述するが、本体２は図示しないＣＰＵ（Central Processing Unit）やＲＡＭ（Random Access Memory）、ＲＯＭ（Read Only Memory）等を備え、制御部と印刷装置などから成る。
本体２は、利用者による電源キーの操作や使用状態によって電力モードが切り替わるようになっている。電力モードとしては、電源オフモード、電源オンモード（通常モード）、パネルオフモード、省電力モードなどがある。また、本体２は上記ＲＡＭ、ＲＯＭのほかに記憶装置を備えており、電力モードが切り替わった際に、新たな電力モードをこの記憶装置に記録するようになっている。
【００１８】
一方、外付け装置３は、本体２に接続され、部門ごとの使用量管理などの付加的な機能を含むコピーサービスなど各種のサービスやソリューションを提供する。また、外付け装置３は、タッチパネルを備えている。更にサービスやソリューションを提供するアプリケーションプログラムがこの外付け装置３上で動作する。なお、本体２と外付け装置３との間はＬＡＮ（Local Area Network）またはＵＳＢ（Universal Serial Bus）で接続するが、その両方で接続してもよい。また、本体２と外付け装置３との通信では、必要に応じてデータを暗号化している。
【００１９】
図２は、図１の本体２の要部構成を示すブロック図である。図示するように、本体２は、プログラムに従って本体２の全体を制御するＣＰＵ２１、そのプログラムが書き込まれているＲＯＭ２２、データを一時的に記憶するＲＡＭ２３、各種データを保存しておく記憶装置２４（例えば磁気ディスク装置）、印刷装置２５、操作部２６、スピーカ２７、インタフェース部２８などを備えている。ここで、インタフェース部２８は、記憶装置２４、印刷装置２５、操作部２６、スピーカ２７および外付け装置３などとのインタフェースとなる。なお、本体２が多機能な画像情報機器（ＭＦＰ：Multi Function Peripheral：複合機）として動作する場合は、これらに加えてスキャナ（画像読み取り装置）やファクシミリユニットを備える。
また、この実施形態では、記憶装置２４は、本体２および外付け装置３と共用となっており、本体２が稼動状態になっていれば、外付け装置３からもインタフェース部２８を介して記憶装置２４をアクセスできるようになっている。これは、ＮＡＳ（Network Attached Storage）と呼ばれる公知の技術で、ＴＣＰ／ＩＰネットワークに直接接続して使用することのできる記憶装置が実現できる。この技術は、ＵＮＩＸ（登録商標）において、ＮＦＳ（Network File System）として採用されていた技術で、他のコンピュータにあるファイルを仮想的に自分のコンピュータのファイルとして扱うことを可能にする技術である。それゆえ、記憶装置２４へは、本体２のＣＰＵ２１および外付け装置３から、電力モードの変更に伴うデータを書き込んだり、現在の電力モードのデータを読み出したりすることができる。
【００２０】
図３は、図１の外付け装置３の要部構成を示すブロック図である。図示するように、この外付け装置３は、プログラムに従って外付け装置３の全体を制御したり、各種サービスやソリューションなどを実行したりするＣＰＵ３１、そのプログラムが書き込まれているＲＯＭ３２、各種データやプログラムを一時的に記憶するＲＡＭ３３、印刷ジョブファイルや各種データ、プログラムを保存しておく記憶装置３４（例えば磁気ディスク装置）、各種サービスやソリューションの実行等に際しユーザインタフェースとなるタッチパネル３５およびスピーカ３６、インタフェース部３７などを備えている。ここで、インタフェース部３７は、記憶装置３４、タッチパネル３５、スピーカ３６、本体２およびネットワーク５などとのインタフェースとなる。
図４は、図３のタッチパネル３５に表示される印刷ジョブアプリケーションからの表示の例を示す図である。この画面は利用者に印刷ジョブの選択と実行を促す画面である。利用者は、この画面表示から所望の印刷ファイルを印刷出力することができる。
【００２１】
図５は、図１の外付け装置３のプログラム（ソフトウェア）構成を示すブロック図である。図示するように、この外付け装置３は、プログラムとして、利用者にソリューションを提供するアプリケーションプログラム４１ａ〜ｃ、アプリケーションプログラム４１ａ〜ｃと基本ソフトウェアとのインタフェースとなるプラットフォーム４２、ファンクション・ラッパー（Wrapper）４３、パネル・ラッパー４４、ネットワーク上の装置内のプログラム（ソフトウェア）のインストールサービスを行うインストールサービス部４５、システムサービス部４６、プラットフォーム４２やファンクション・ラッパー４３など上位層と各種ドライバのインタフェースとなるアプリケーションインタフェース（ＡＰＩ）４７、スキャンドライバ４８、プリントドライバ４９、ファクシミリドライバ５０、パネルドライバ５１、ＯＳ（オペレーティングシステム）５２などを備えている。
【００２２】
ここで、前述したラッパーは下位層であるＡＰＩの違いを吸収する役割を持つ。また、システムサービス部４６は、プラットフォーム４２のインストール・アンインストール・アップデート、アプリケーションプログラム４１のインストール・アンインストール・アップデート・起動・停止、プラットフォーム４２のインストール時や起動時の認証などを行う。
【００２３】
なお、第１の実施形態では、電力モードの切り替えおよびログ記録をＣＰＵ２１、ＲＯＭ２２などにより実現し、電力モードの記憶を記憶装置２４により実現し、外付け側電力モード切り替えはＣＰＵ３１、ＲＯＭ３２などにより実現し、電力モード検知をＣＰＵ３１、ＲＯＭ３２、インタフェース部３７などにより実現する。
また、本体側の異常の通知およびログ通知をＣＰＵ２１、ＲＯＭ２２および印刷装置２５、またはＣＰＵ２１、ＲＯＭ２２、インタフェース部２８、ＣＰＵ３１、ＲＯＭ３２およびインタフェース部３７などにより実現し、外付け装置側の異常の通知をＣＰＵ３１、ＲＯＭ３２およびインタフェース部３７、またはＣＰＵ３１、ＲＯＭ３２、インタフェース部３７、ＣＰＵ２１、ＲＯＭ２２および印刷装置２５などにより実現している。なお、本体側の異常の通知方法としては、操作部２６（図２）の表示装置（図示せず）またはスピーカ２７を用いて実現する方法、また外付け装置３側の異常通知方法としては、タッチパネル３５またはスピーカ３６を用いて実現する方法もある。
【００２４】
次に、本実施形態にかかる画像情報機器本体２および外付け装置３の電力モードについて説明する。
【００２５】
第１の実施形態では、本体２および外付け装置３の電力モードとして、以下の４つのモードがある。
（１）電源オフモード：インタフェース部２８を除いて装置に通電していない状態。
（２）通常モード：省電力を全く行っていない状態。利用者による入力を即時に受け付けることができる状態。
（３）パネルオフモード：表示部のバックライトが消灯している状態。
（４）省電力モード：最小限の機能のみ稼動している状態（例えば制御機能のみが低速クロックで稼動している状態）。利用者からの入力に即応できない状態。
【００２６】
図６は、以上の電力モードの状態遷移を示す図である。電源オフモードからは、電源スイッチのＯＮにより、通常モードとなる。この通常モードで所定時間経過しても印刷や複写などの処理が発生しなければ、まずパネル表示を消灯したパネルオフモードに切り替わる。この状態から更に所定時間経過しても印刷や複写などの処理が発生しなければ、省電力モードに切り替わる。パネルオフモードおよび省電力モードの状態で、操作部２６のキーが押下されると（あるいは何らかの処理が発生すると）通常モードへ復帰する。但し、省電力モードから通常モードへの復帰には、パネルオフモードからの復帰より時間を要する。電源スイッチのＯＦＦは、通電中の各電力モードを電源オフモードにする。
なお、本体２内の記憶装置２４には、本体２の電力モードの状態として、前述した４つの電力モードに加えて、「移行中」の状態（図示せず）も記録される。「移行中」の状態を記録することにより、本体２と外付け装置３との間の電力モード切り替えの整合性を保つことができる。詳細については後述する。
【００２７】
図７は、電力モード切り替えの基本的なシーケンスを説明する図である。利用者、外付け装置３、本体２の記憶装置２４、画像情報機器本体２がそれぞれ関係し合って動作するため、シーケンス図を用いる。
以下、各シーケンスをシーケンス番号（以下に示した括弧内の番号）に対応づけて説明する。
（１）利用者が外付け装置３の電源スイッチをオンにする。これにより、まず外付け装置３に電力が供給され、外付け装置３が起動する。
（１．１）外付け装置３は、本体２の記憶装置２４に記録されている現在の本体２の電力モードを読み出す。しかし、この時点では本体２に電源が入っていないので応答がない。応答がないと、外付け装置３は本体２に電源が入っていないと判断する。この時点で応答があった場合は、異常を検知したとして、その旨を利用者へ通知する。異常通知の方法としては、ネットワーク５を介して利用者の端末装置へ電子メールで通知する方法、または外付け装置３のタッチパネル３５に表示する方法などを用いる。なお、異常通知については後述する。
【００２８】
（１．２）外付け装置３は本体２のインタフェース部２８を介して電源オン要求を行う。
（１．２．１）本体２のインタフェース部２８は、本体２の電源部を制御して本体２に電力を供給させる。つまり、電力モードを電源オフモードから通常モードへ切り替える。
（１．２．２）本体２のＣＰＵ２１は起動後に、現在の本体２の電力モードが通常モードであることを示すデータを記憶装置２４へ書き込む。これにより、記憶装置２４は本体２の電力モードを通常モードとして記録する。記録するデータの形式は、yy.mm.dd hh.mm.ss Normal Mode のような形式でよい。ここで、yy.mm.dd は年月日を表し、hh.mm.ss は時分秒を表す。次に状態を表す文字列が続く。以降、説明で同様の記載が現れた場合は、ここで述べた内容を表している。勿論、この形式に限定されるものではなく、何時、どういう状態になったかの記録が残せる形式ならよい。
【００２９】
（１．３）外付け装置３は、本体２の記憶装置２４から本体２の電力モードを読み出す。なお、外付け装置３はその後、この読み出しを定期的に（例えば１０秒間隔くらいで）行う。これにより、外付け装置３は本体２の電力モードを監視および検知することができる。このとき、外付け装置３は、本体側の電力モードに変更がなければ何も行わないが、変更があったことを検知すると、変更に応じた処理を行う。
【００３０】
（２）利用者からの操作入力や、本体２内部で印刷出力などの処理が所定時間なければ、ＣＰＵ２１はパネルオフモードへの移行を開始することを示すデータ（移行中）を記憶装置２４へ書き込む。このときのデータ形式は、同図では日本語で「移行中」と記載されてあるが、英語標記でyy.mm.dd hh.mm.ss Switching のような形式でよい。
（３）ＣＰＵ２１は電力モードをパネルオフモードへ切り替える。
（４）ＣＰＵ２１は現在の本体２の電力モードがパネルオフモードであることを示すデータを記憶装置２４へ書き込む。このときのデータ形式は、yy.mm.dd hh.mm.ss Panel off のような形式でよい。これにより、記憶装置２４は、本体２の電力モードをパネルオフモードとして記録する。
【００３１】
（５）外付け装置３は、記憶装置２４から本体２の電力モードを読み出す。これにより、外付け装置３は、本体２の電力モードが通常モードからパネルオフモードへ切り替えられたことを検知する。
（６）外付け装置３は、本体２がパネルオフモードへ切り替わったことを受けて、外付け装置３自身もパネルオフモードへ切り替える。
（７）外付け装置３は、本体２の電力モードの読み出しを定期的に行う。
（８）利用者からの操作入力や本体２内部の処理が所定時間なければ、ＣＰＵ２１は省電力モードへの移行開始を示すデータを記憶装置２４へ書き込む。このときのデータ形式は、前回の移行中と同様に、yy.mm.dd hh.mm.ss Switching のような形式でよい。
（９）ＣＰＵ２１は本体２の電力モードを省電力モードへ切り替える。
【００３２】
（１０）ＣＰＵ２１は、現在の本体２の電力モードが省電力モードであることを示すデータを記憶装置２４へ書き込む。これにより、記憶装置２４は本体２の電力モードを省電力モードとして記録する。このときのデータ形式は、yy.mm.dd hh.mm.ss Power save のような形式でよい。
（１１）外付け装置３は記憶装置２４から本体２の電力モードを読み出す。これにより、外付け装置３は本体２の電力モードがパネルオフモードから省電力モードへ切り替わったことを検知する。
（１２）外付け装置３は、本体２が省電力モードへ切り替わったことを受けて、自身も省電力モードへ切り替える。
【００３３】
以上の手順で本体２と外付け装置３は共に省電力モードに切り替わる。利用者から見ると、本体２が省電力モードになったのに合わせて、外付け装置３も省電力モードに変ったように見える。
【００３４】
また、以上の手順の中で、記憶装置２４は電力モードの遷移情報をログ情報として保持している。そして、ＣＰＵ２１は定期的（１日乃至１週間に一度くらい）にそのログ情報を取得し、外付け装置３を介して電子メールにより管理者や一般の利用者へ送る。あるいは、そのログ情報を本体２内の印刷装置２５に出力する。これにより、管理者や一般利用者は電力モードの遷移状況を知ることができ、省電力化をより効果的に行うことができる。例えば、プリンタ１を利用する際のルールとして、「プリンタ未使用状態が５分経過すると省電力モードに切り替わるように設定すること，夜間は電源をオフにすること」というようなルールがあった場合に、管理者はログ情報を見ることで、正しく利用されているか否かをチェックすることができる。
【００３５】
また、前述した電力モード切り替えの手順の中で電力モード切り替えに関する所定の異常状態、例えば、電源が供給されていないはずの本体２から応答があるというような場合、ＣＰＵ２１はその異常情報をログ情報の場合と同様の方法で印刷装置２５に出力するか、操作部２６内の表示装置またはスピーカ２７に出力する。また、外付け装置３で発生した異常であれば、タッチパネル３５かスピーカ３６に出力する。
異常状態をネットワーク５を経由して利用者の端末装置へ通知する方法もある。例えば本体２で発生した異常であれば、この通知方法の動作フローは図８のようになる。以下、この処理の手順を図を参照して説明する、
まず、異常状態が発生する（ステップＳ１）。これにより、ＣＰＵ２１はその異常情報を記憶装置２４に書き込んで記録させる（ステップＳ２）。記憶装置２４に書き込むデータ形式は他の場合と同様に、yy.mm.dd hh.mm.ss Unexpected Power Mode のようにすればよい。状態を表す文字列は、異常状態により、適宜変更して解り易いものにする。
その後、外付け装置３が定期的な電力モードの読み出しの際にその異常情報を検知する（ステップＳ３）。外付け装置３は電子メールで管理者や一般の利用者の端末装置へ通知する（ステップＳ４）。
一方、外付け装置３で異常が発生した場合は、その都度ただちに管理者や一般利用者に電子メールで通知する。これにより、管理者や一般の利用者は異常の発生を早期に知ることができ、発生した異常に対してすみやかに対応できる。
【００３６】
図９は、外付け装置３のタッチパネル３５の押下による省電力モードから通常モードへの復帰のシーケンスを説明する図である。なお、同図に示すシーケンスは、本体２および外付け装置３の電力モードが共に省電力モードであるところから始まっている。以下、シーケンス番号に対応づけてこのシーケンスを説明する。
（２１）利用者が外付け装置３のタッチパネル３５を押下する。
（２１．１）外付け装置３のＣＰＵ３１は電力モードを通常モードに切り替える。
（２１．２）外付け装置３は、記憶装置２４から本体２の電力モードを読み出し、本体２が通常モードへ切り替えられるかどうかを確認する。そして、切り替えできない状態であれば（例えば省電力モードを所定時間持続させる設定になっているような場合）、その旨を利用者へ通知する。
【００３７】
（２１．３）切り替え可能な場合は、外付け装置３は本体２へ通常モードへの切り替えを要求する。
（２１．３．１）本体２のＣＰＵ２１は、電力モードの移行開始を示すデータを記憶装置２４へ書き込む。ときのデータ形式は、yy.mm.dd hh.mm.ss Switching のような形式でよい。
（２１.３.２）本体２のＣＰＵ２１は電力モードを通常モードへ切り替える。
（２１.３.３）本体２のＣＰＵ２１は切り替え後に、現在の本体２の電力モードが通常モードであることを示すデータを記憶装置２４へ書き込む。データの形式は、yy.mm.dd hh.mm.ss Normal Mode でよい。
【００３８】
図１０は本体２におけるキー押下による省電力モードから通常モードへの復帰のシーケンスを示す図である。なお、同図に示すシーケンスは、本体２および外付け装置３の電力モードが共に省電力モードの状態から始まっている。以下、シーケンス番号に対応づけてこのシーケンスを説明する。
（３１）利用者が本体２の操作部２６のキーを押下する。
（３１．１）本体２のＣＰＵ２１は電力モードの移行開始を示すデータを記憶装置２４へ書き込む。ときのデータ形式は、yy.mm.dd hh.mm.ss Switching である。
【００３９】
（３１．２）ＣＰＵ２１は電力モードを通常モードへ切り替える。
（３１．３）ＣＰＵ２１は切り替え後に、現在の本体２の電力モードが通常モードであることを示すデータを記憶装置２４へ書き込む。データの形式は、yy.mm.dd hh.mm.ss Normal Mode である。
（３２）外付け装置３は、電力モードの読み出しを定期的に行って、本体２の電力モードが省電力モードから通常モードへ切り替わったことを検知する。
（３３）外付け装置３は自身の電力モードを通常モードへ切り替える。
【００４０】
図１１は、省電力モード中に、本体２のキーと外付け装置３のタッチパネルが、ほぼ同時に押下された場合の通常モードへの復帰シーケンスを説明する図である。本体２と外付け装置３とが離れている状態では、異なる２人の利用者によって、このようなことが起り得る。なお、同図に示したシーケンスは、本体２と外付け装置３の電力モードが共に省電力モードの状態から始まるものとする。以下、シーケンスをシーケンス番号に対応づけて説明する。
【００４１】
（４１）利用者が本体２の操作部２６のキーを押下する。
（４１.１）ＣＰＵ２１は電力モードの移行開始を示すデータを記憶装置２４へ書き込む。このときのデータ形式は、yy.mm.dd hh.mm.ss Switching である。
（４２）利用者が外付け装置３内のタッチパネル３５を押下する。
（４２.１）外付け装置３は電力モードの読み出しを記憶装置２４に対して行う。これにより、外付け装置３は本体側が電力モード移行中であることを検知する。移行中であることを検知すると、外付け装置３は本体２に対して何も行わない。
（４２.２）ＣＰＵ２１は本体２の電力モードを通常モードへ切り替える。
（４２.３）ＣＰＵ２１は切り替え後に、現在の本体２の電力モードが通常モードであることを示すデータを記憶装置２４へ書き込む。データの形式は、yy.mm.dd hh.mm.ss Normal Mode である。
【００４２】
（４３）外付け装置３は、定期的に電力モードを読み出し、本体２の電力モードが省電力モードから通常モードへ切り替えられたことを検知する。
（４４）外付け装置３は電力モードを通常モードへ切り替える。
こうして、第１の実施形態によれば、本体２と外付け機器３とが連携して電力モードの切り替え制御を行うことができるので、本体２と外付け装置３との電力モードが整合しないというような問題を改善できる。したがって、例えば本体２が省電力モードであるときに利用者が外付け装置３上のタッチパネル３５を操作して本体２側に印刷要求が行われ、本体２側の印刷要求受け付けが遅れる結果、印刷待ち時間が長くなるというような事態を回避できる。
【００４３】
［第２の実施形態］
第１の実施形態として示した図１乃至図６は第２の実施形態にも適用できる。第２の実施形態が第１の実施形態と異なる点は、本体２側の電力モードに変化があった場合に、本体２側から外付け装置３に通知を行う点である。なお、第２の実施形態では、電力モードの切り替えおよびログの記録をＣＰＵ２１、ＲＯＭ２２などにより実現し、電力モードの通知をＣＰＵ２１、ＲＯＭ２２、インタフェース部２８などにより実現し、電力モードの記憶を記憶装置２４により実現し、外付け装置３側電力モードの切り替えをＣＰＵ３１、ＲＯＭ３２などにより実現する。
【００４４】
また、本体２側の異常を通知する異常通知およびログの通知をＣＰＵ２１、ＲＯＭ２２および印刷装置２５、またはＣＰＵ２１、ＲＯＭ２２、インタフェース部２８、ＣＰＵ３１、ＲＯＭ３２およびインタフェース部３７などにより実現し、外付け装置３側の異常を通知する異常通知はＣＰＵ３１、ＲＯＭ３２およびインタフェース部３７、またはＣＰＵ３１、ＲＯＭ３２、インタフェース部３７、ＣＰＵ２１、ＲＯＭ２２および印刷装置２５などにより実現する。そのほか、本体２側の異常通知の方法として、操作部２６内の表示装置またはスピーカ２７を用いて実現する方法、外付け装置３側の異常通知方法としてタッチパネル３５またはスピーカ３６を用いて実現する方法もある。
【００４５】
図１２は、第２の実施形態における電力モード切り替えの基本的なシーケンスを説明する図である。以下、同図に示すシーケンスをシーケンス番号に対応づけて説明する。
（５１）利用者が外付け装置３の電源スイッチをオンにする。これにより、まず、外付け装置３に電力が供給される。
（５１.１）外付け装置３は記憶装置２４から現在の本体２の電力モードを読み出す。ここでは、本体２に電源が入っていないので応答がない。その結果、外付け装置３は本体２に電源が入っていないと判断する。応答があった場合は、異常を検知したとしてその旨を利用者へ通知する。
【００４６】
（５１.２）外付け装置３は本体２に対して電源オン要求を行う。
（５１.２.１）本体２のインタフェース部２８は本体２の電源部を制御して本体全体に電力を供給させる。つまり、電力モードを通常モードへ切り替える。
（５１.２.２）ＣＰＵ２１は電力モード切り替え後に現在の本体２の電力モードが通常モードであることを示すデータを記憶装置２４へ書き込む。これにより、記憶装置２４は本体２の電力モードを通常モードとして記録する。書き込むデータの形式は、例えばyy.mm.dd hh.mm.ss Normal Mode である。
【００４７】
（５２）利用者による操作入力や本体２内部の処理が所定時間なければ、ＣＰＵ２１はパネルオフモードへの移行開始を示すデータを記憶装置２４へ書き込む。このときのデータ形式は、yy.mm.dd hh.mm.ss Switching である。
（５３）ＣＰＵ２１は電力モードをパネルオフモードへ切り替える。
（５４）ＣＰＵ２１は現在の本体２の電力モードがパネルオフモードであることを示すデータを記憶装置２４へ書き込む。これにより、記憶装置２４は本体２の電力モードをパネルオフモードとして記録する。このときのデータ形式は、yy.mm.dd hh.mm.ss Panel off である。
（５５）本体２は電力モードをパネルオフモードに切り替えたことを外付け装置３へ通知する。
（５５.１）外付け装置３は、本体２がパネルオフモードへ切り替わったことを受けて、外付け装置３も電力モードをパネルオフモードへ切り替える。
【００４８】
（５６）利用者による操作入力や本体２内部の処理が所定時間なければ、ＣＰＵ２１は省電力モードへの移行開始を示すデータを記憶装置２４へ書き込む。このときのデータ形式は、yy.mm.dd hh.mm.ss Switching である。
（５７）ＣＰＵ２１は電力モードを省電力モードへ切り替える。
（５８）ＣＰＵ２１は現在の本体２の電力モードが省電力モードあることを示すデータを記憶装置２４へ書き込む。これにより、記憶装置２４は本体２の電力モードを省電力モードとして記録する。このときのデータ形式は、yy.mm.dd hh.mm.ss Power save である。
（５９）本体２は電力モードを省電力モードに切り替えたことを外付け装置３へ通知する。
（５９.１）外付け装置３は、本体２が省電力モードへ移行したことを受けて、外付け装置３も電力モードを省電力モードへ切り替える。
【００４９】
以上の手順で、本体２と外付け装置３は共に省電力モードとなる。利用者から見ると、本体２が省電力モードになったのに合わせて外付け装置３も省電力モードになったように見える。
なお、第２の実施形態において、省電力モードからの復帰のシーケンスは、図９および図１０に示した第１の実施形態のシーケンスとほぼ同じになる。違う点は、図１０において外付け装置３から記憶装置２４への定期的な電力モードの読み出しを行わない点である。
【００５０】
また、第２の実施形態においても第１の実施形態と同じ方法で電力モード遷移情報をログ情報として管理者や一般利用者へ通知することができる。
また、電力モード切り替えにかかる異常が本体２で発生した場合、外付け装置３へ通知することで、外付け装置３から管理者や一般利用者へその旨を電子メールにより通知する。また、外付け装置３で発生した異常を電子メールにより通知したりする。または、第１の実施形態と同様にして、印字出力、表示、音声などにより通知する。
こうして、第２の実施形態によっても第１の実施形態と同様の効果を得ることができる。
【図面の簡単な説明】
【００５１】
【図１】本発明の第１の実施形態にかかるプリンタ１の概略構成を示すシステム構成図である。
【図２】図１の本体２の要部構成を示すブロック図である。
【図３】図１の外付け装置３の要部構成を示すブロック図である。
【図４】図３のタッチパネル３５に表示される印刷ジョブアプリケーションからの表示の例を示す図である。
【図５】図１の外付け装置３のプログラム（ソフトウェア）構成を示すブロック図である。
【図６】本発明の第１の実施形態にかかる画像情報機器本体２および外付け装置３の電力モードの状態遷移を示す図である。
【図７】本発明の第１の実施形態における電力モード切り替えの基本的なシーケンスを説明する図である。
【図８】本発明の第１の実施形態における異常通知処理を説明するフローチャートである。
【図９】本発明の第１の実施形態における省電力モードから通常モードへの復帰のシーケンスを説明する図である。
【図１０】本発明の第１の実施形態における省電力モードから通常モードへの復帰のシーケンスを説明する図である。
【図１１】本発明の第１の実施形態における省電力モードから通常モードへの復帰のシーケンスを説明する図である。
【図１２】本発明の第２の実施形態における電力モード切り替えの基本的なシーケンスを説明する図である。
【符号の説明】
【００５２】
１    プリンタ
２    本体
３    外付け装置
５    ネットワーク
２１    ＣＰＵ
２４    記憶装置
２５    印刷装置
２８    インタフェース部
３１    ＣＰＵ
３５    タッチパネル
３７    インタフェース部
４１    アプリケーションプログラム
【図１】
2008311769.tif 000003
【図２】
2008311769.tif 000004
【図３】
2008311769.tif 000005
【図４】
2008311769.tif 000006
【図５】
2008311769.tif 000007
【図６】
2008311769.tif 000008
【図７】
2008311769.tif 000009
【図８】
2008311769.tif 000010
【図９】
2008311769.tif 000011
【図１０】
2008311769.tif 000012
【図１１】
2008311769.tif 000013
【図１２】
2008311769.tif 000014